(57)【要約】【課題】デザイン性と低コスト化と取扱性とを兼ね備えるドラム式洗濯機を提供する。【解決手段】ドラム式洗濯機（１）は、前開口部（１１）を外箱前面部（１ｂ）に有する外箱（１ａ）と、外箱内に配置される水槽（２）と、水槽内に回転可能に配置されて洗濯物（Ａ）を収容する回転ドラム（３）と、外箱前面部の全体を覆うとともに、前記前開口部を閉じるドア（１０）とを備える。【選択図】図４
2018015132.tif 000002
【特許請求の範囲】
【請求項１】
前開口部を外箱前面部に有する外箱と、
前記外箱内に配置される水槽と、
前記水槽内に回転可能に配置されて洗濯物を収容する回転ドラムと、
前記外箱前面部の全体を覆うとともに、前記前開口部を閉じるドアとを備えることを特徴とするドラム式洗濯機。
【請求項２】
請求項１に記載のドラム式洗濯機において、
前記外箱前面部には、前記外箱内に配置されたフィルタ装置に対して着脱可能なリントフィルタが設けられて、
前記ドア後面部には、前記リントフィルタの誤挿入を防止する誤挿入防止構造が設けられることを特徴とするドラム式洗濯機。
【請求項３】
請求項１又は請求項２に記載のドラム式洗濯機において、
前記ドア後面部には、ドア係合部が設けられて、
前記外箱前面部には、前記ドアを閉じると前記ドア係合部と係合するドア被係合部が設けられて、
前記ドア係合部及び前記ドア被係合部が、複数の対で設けられているとともに、前記ドアを軸支するヒンジの反対側に設けられることを特徴とするドラム式洗濯機。
【請求項４】
請求項３に記載のドラム式洗濯機において、
対の前記ドア係合部及び前記ドア被係合部が、前記前開口部の近傍に設けられることを特徴とするドラム式洗濯機。
【請求項５】
請求項３又は４に記載のドラム式洗濯機において、
前記前開口部の近傍に設けられた対の前記ドア係合部及び前記ドア被係合部が、前記前開口部寄りに設けられ、前記前開口部から離れたところに設けられた対の前記ドア係合部及び前記ドア被係合部が、前記外箱前面部の前記ヒンジの反対側の縁部寄りに設けられることを特徴とするドラム式洗濯機。
【発明の詳細な説明】
【技術分野】
【０００１】
この発明は、ドラム式洗濯機に関する。
【背景技術】
【０００２】
ドラム式洗濯機では、有底円筒状の水槽が横姿勢又は斜め横姿勢で外箱内に支持され、同軸上で回転する有底円筒状の回転ドラムが水槽の内部に収容された構成になっている。外箱の前面に設けられた前開口部が、水槽及び回転ドラムの各開口部と同軸に形成されており、前開口部の形状が前開口部（回転ドラム）の形状に依存した形状になっている。
【０００３】
ドラム式洗濯機のドアは、外箱の前開口部を閉じるように、該前開口部に係合する形状になっている（例えば、特許文献１を参照）。
【先行技術文献】
【特許文献】
【０００４】
【特許文献１】特表２００５−５１４９９５号公報
【発明の概要】
【発明が解決しようとする課題】
【０００５】
従来のドラム式洗濯機では、ドアが、前開口部（回転ドラム）の形状に依存した形状になっているため、デザイン上の制約になっている。また、ドラム式洗濯機の外箱を複数のパネル部品から構成することで低コスト化及び取扱性を実現しようとしているが、複数のパネル部品を組み立てるときに生じる分割線が、ドラム式洗濯機の前面に形成される。そのため、ドラム式洗濯機の美的外観が損なわれている。
【０００６】
したがって、ドラム式洗濯機において、デザイン性と低コスト化と取扱性とを兼ね備えることが望まれている。
【０００７】
この発明の解決すべき技術的課題は、デザイン性と低コスト化と取扱性とを兼ね備えるドラム式洗濯機を提供することである。
【課題を解決するための手段】
【０００８】
前記技術的課題を解決するために、この発明によれば、以下のドラム式洗濯機が提供される。
【０００９】
すなわち、この発明に係るドラム式洗濯機は、
前開口部を外箱前面部に有する外箱と、
前記外箱内に配置される水槽と、
前記水槽内に回転可能に配置されて洗濯物を収容する回転ドラムと、
前記外箱前面部の全体を覆うとともに、前記前開口部を閉じるドアとを備えることを特徴とする。
【発明の効果】
【００１０】
この発明のドラム式洗濯機では、一枚物のドアによって外箱の前面部の全体が覆われているため、ドアが前開口部（回転ドラム）の形状に依存する必要性がなくなり、複数のパネル部品を組み立てるときに生じる分割線もドアで隠される。その結果、デザイン性と低コスト化と取扱性とを兼ね備えるドラム式洗濯機を提供することができる。
【図面の簡単な説明】
【００１１】
【図１】この発明の第１実施形態に係るドラム式洗濯機の外観を示す斜視図。
【図２】図１に示したドラム式洗濯機の縦断面模式図。
【図３】ドラム式洗濯機の制御ブロック図。
【図４】図１に示したドラム式洗濯機のドアを開けたときの斜視図。
【図５】この発明の第２実施形態に係るドラム式洗濯機での外箱前面部を示す模式図。
【図６】この発明の第３実施形態に係るドラム式洗濯機の縦断面模式図。
【図７】この発明の第４実施形態に係るドラム式洗濯機の縦断面模式図。
【発明を実施するための形態】
【００１２】
以下、図面を参照しながら、この発明の一実施形態に係るドラム式洗濯機１を説明する。なお、この実施形態は、あくまでも一例であって、この発明は当該実施形態に限定されるものではない。
【００１３】
〔第１実施形態〕
図１は、第１実施形態に係るドラム式洗濯機１を斜め前方且つ斜め上方から見たときの外観を示す斜視図である。図２は、ドラム式洗濯機１の縦断面模式図である。図３は、ドラム式洗濯機１の制御ブロック図である。なお、本願では、洗濯と乾燥とを行うことができるドラム式洗濯乾燥機と、乾燥を行わず洗濯のみを行うドラム式洗濯機とを総称して、ドラム式洗濯機１と呼んでいる。
【００１４】
第１実施形態のドラム式洗濯機１は、外郭を成す外箱１ａの内部に水槽２及び回転ドラム３などを備える。水槽２は、一側に開口２０を有する大径の有底円筒体であり、外箱１ａの底面に立設された複数本の支持脚２１（１本のみ図示）により、開口２０の側を上とし、水平面に対して軸心が傾斜した傾斜姿勢を保って弾性的に支持されている。
【００１５】
水槽２の内部には、水槽２よりも若干小径の有底円筒状の回転ドラム３が収容されている。回転ドラム３は、一側の開口３０を水槽２の開口２０の内側に臨むように構成されている。回転ドラム３は、水槽２の底部中央に固設されたドラムモータ４の出力軸４０の端部に連結されて、ドラムモータ４の駆動により、水槽２の内部で回転するように構成されている。
【００１６】
回転ドラム３は、開口３０の外側に周設された流体バランサ３１を備える。流体バランサ３１は、回転ドラム３が回転した場合に、当該回転に伴う振動を吸収して緩和する機能を有する。ドラムモータ４は、水槽２の底板の外側に連設されたモータ室４１の内部に設けられている。ドラムモータ４の出力軸４０は、水槽２の底板を液密に貫通し、当該底板の中央に突出している。回転ドラム３は、突出した出力軸４０の端部に連結されている。回転ドラム３の周壁には、多数の小孔３２が全面に亘って貫通形成されている。また、回転ドラム３の内面には、軸長方向に延びる複数のバッフル３３が周方向に等配で突設されている。なお、簡便のため、図２には、小孔３２の一部及び１つのバッフル３３を図示している。
【００１７】
外箱１ａの外箱前面部１ｂ（図２の左側面）には、水槽２の開口２０を臨む位置に、洗濯物Ａを出し入れするための前開口部１１が配設されている。前開口部１１は、円形の開口であり、水槽２の開口２０及び回転ドラム３の円形の開口３０に臨むように構成されている。前開口部１１と水槽２の開口２０との間は、ベローズ１２によって液密に封止されている。ドア１０のドア前面部１０ａには、ドア開ボタン１３が設けられている。ドア開ボタン１３の操作によって、後述するドア係合部７１，７２，７３及びドア被係合部８１，８２，８３での係合が解除されて、ドア１０が開放される。なお、ドア１０に設けられた取手（図示しない）によって、ドア係合部７１，７２，７３及びドア被係合部８１，８２，８３での係合が解除される構成にすることもできる。
【００１８】
ドア前面部１０ａの上部には、操作パネル１５が設置されている。操作パネル１５は、運転内容を決定するための複数の操作ボタンと、操作ボタンによって決定された運転内容に対応する文字及び／又は図形を表示する表示部とを有する。操作パネル１５は、外箱１ａの内部における前下部に設けられている運転制御部１６に接続されており、操作パネル１５に対する操作情報は、運転制御部１６へ出力される。運転制御部１６は、操作パネル１５から出力された操作情報に基づいて運転内容を決定し、決定した運転内容に従って洗濯運転及び乾燥運転などを行う。ドア１０のドア前面部１０ａの中央部には、窓部１０ｃがドア１０の厚み方向を貫通するように設置されている。窓部１０ｃは、透光性の部材から構成されている。
【００１９】
外箱１ａの後部上面には、水道への接続端となる給水口１７が設けられている。給水口１７は、外箱１ａの内側に設けられた給水弁１８に接続されている。給水弁１８は、複数の給水出口を有する多連形の電磁弁である。給水弁１８の第１給水出口は、給水管１９を介して水槽２の底板近傍の上部周面に接続されている。給水弁１８が第１給水出口に切換えられた場合、給水口１７に流入した水は、給水弁１８及び給水管１９を経て水槽２の内部に供給され、洗い用の洗濯水、又は、すすぎ用のすすぎ水として使用される。なお、給水管１９の途中に、公知のように洗剤ケースを配置し、給水と共に適量の洗剤が導入されるように構成することができる。
【００２０】
水槽２には、最下位置となる底板近傍の周面に導水管２３が接続されている。導水管２３は、外箱１ａの内側における前下部に固定支持された筒形のフィルタ装置２４に接続されている。フィルタ装置２４の内部には、水槽２内の洗濯水又はすすぎ水に含まれる繊維屑等の異物を捕捉するリントフィルタ２５が収容されている。フィルタ装置２４の下部は、排水弁２６を介して外箱１ａの底面に沿って配設された排水管２７に接続されている。排水弁２６が開放されると、水槽２内の洗濯水又はすすぎ水は、導水管２３及びフィルタ装置２４を経て排水管２７に排出される。水槽２内の洗濯水又はすすぎ水に含まれる異物は、フィルタ装置２４内のリントフィルタ２５によって捕捉され、洗濯水又はすすぎ水から除去される。
【００２１】
また、図２に示すように、循環風路５は、水槽２の下部底面に開設された導出口５０と、水槽２の開口２０の周縁部に開設された導入口５１とを、上行ダクト５２及び前行ダクト５３によって連絡している。上行ダクト５２及び前行ダクト５３のそれぞれは、外箱１ａの内部における後側及び上側に配設されている。上行ダクト５２の下端部及び上端部のそれぞれは、導出口５０及び前行ダクト５３の後端部に連結されている。前行ダクト５３の前端部は、水槽２の前側上部の周縁に開口する導入口５１に接続されている。
【００２２】
前行ダクト５３の途中には、塵埃を捕捉するための乾燥フィルタ５４、乾燥風を起風する送風機５５、及び、乾燥風を加熱するヒータ５６が、後側から前側にこの順に介装してある。
【００２３】
また、このドラム式洗濯機１が、洗濯物Ａを乾燥させる乾燥機能を有する場合、ヒートポンプユニット(図示せず)が水槽２の下方背面側に配置されている。このヒートポンプユニットは、乾燥運転時には、洗濯物Ａの水分を含んだ空気を回転ドラム３から導出して、水分を含んだ空気の除湿及び加熱を行った後の乾燥した温風を回転ドラム３へ導入する。
【００２４】
図３は、ドラム式洗濯機１の制御ブロック図である。運転制御部１６は、ＣＰＵ（Central Processing Unit）６１、記憶部６２などを備える。
【００２５】
ＣＰＵ６１は、記憶部６２に記憶された制御プログラムなどを読み出して実行することにより、洗濯動作に係る各種の演算処理及び制御処理などを行う。
【００２６】
記憶部６２は、例えば、ＥＥＰＲＯＭ（Electrically Erasable Programmable Read Only Memory）又はフラッシュメモリ等の不揮発性でデータ書き換え可能なメモリ素子で構成されており、ＣＰＵ６１が実行する制御プログラム及びこれに必要な種々のデータなどを記憶する。
【００２７】
運転制御部１６には、ドラムモータ４、給水弁１８、排水弁２６、送風機５５、ヒータ５６、スピーカー７６などが接続されている。ＣＰＵ６１は、例えば、ドラムモータ４の回転制御及び給水弁１８の開閉制御などを行う。
【００２８】
図４は、ドラム式洗濯機１のドア１０を開放したときの斜視図である。
【００２９】
前開口部１１は、ドア１０で閉じられるが、詳細には、ドア１０に設けられた突出閉止部１０ｄで閉じられる。すなわち、ドア１０のドア後面部１０ｂには、突出閉止部１０ｄが設けられている。突出閉止部１０ｄは、窓部１０に連設されて、後部側に突出しており、前開口部１１を液密で閉じるように構成されている。突出閉止部１０ｄは、透光性の部材から構成されている。したがって、ドア前面部１０ａの側から窓部１０ｃ及び突出閉止部１０ｄを通じて、回転ドラム３内部を視認できる。
【００３０】
外箱１ａの外箱前面部１ｂとドア１０のドア後面部１０ｂとの間に介在配置された２つのヒンジ７０によって、ドア１０が外箱１ａの外箱前面部１ｂに対して回動自在に軸支されている。上下２つのヒンジ７０が外箱１ａの一端側に設けられている。ドア１０は、ドア前面部１０ａ及びドア後面部１０ｂを有する平板形状をしており、外箱１ａの外箱前面部１ｂの全体を覆うように略垂直方向に延在している。
【００３１】
外箱前面部１ｂの下側のヒンジ７０近くの一端側（ヒンジ７０側）には、フィルタ装置２４とリントフィルタ２５が設けられている。リントフィルタ２５の前面にはフィルタキャップ２８が設けられており、フィルタキャップ２８の先端側には、前方に突出して横方向に延びるフィルタキャップ把持部２９が形成されている。フィルタキャップ把持部２９により、回動によってリントフィルタ２５をフィルタ装置２４に対して着脱できる。
【００３２】
ドア１０のドア後面部１０ｂの一端側（ヒンジ７０側）には、誤挿入防止構造３９が設けられている。誤挿入防止構造３９は、凸状のフィルタキャップ把持部２９を収容する凹部である。ドア１０を閉じると、誤挿入防止構造３９はフィルタキャップ把持部２９と係合する。
【００３３】
フィルタキャップ２８がフィルタ装置２４を蓋するための蓋閉位置に位置していなければ、ドア１０を閉じようとしたとき、凸状のフィルタキャップ把持部２９が凹状の誤挿入防止構造３９と係合できずに、ドア１０を完全に閉じることができないように構成されている。したがって、ドア１０を閉じる際に、フィルタキャップ２８が蓋閉位置に位置しているか否かを注意喚起できる。
【００３４】
なお、凸状の誤挿入防止構造３９をドア１０のドア後面部１０ｂ側に設けるとともに、フィルタキャップ２８に形成された凹状のフィルタキャップ把持部２９を有する構成にすることもできる。当該構成によれば、ドア１０を閉じると、ドア１０側に設けられた凸状の誤挿入防止構造３９が、フィルタキャップ２８側に設けられた凹状のフィルタキャップ把持部２９と係合する。
【００３５】
さらに、凸状の誤挿入防止構造３９をドア１０のドア後面部１０ｂ側に設けるとともに、凸状のフィルタキャップ把持部２９を有する構成とすることができる。当該構成によれば、フィルタキャップ２８の回動が適切であると互いの凸形状が干渉せず、ドア１０を閉めることが可能となる。逆に、フィルタキャップ２８の回動が不適切であると、互いの凸形状が干渉し、ドア１０を完全に閉じることができなくなることにより、リントフィルタ２５の挿入が不完全であることを注意喚起できる。
【００３６】
次に、ヒンジ７０が設けられている一端側の反対側、すなわち他端側に設けられるドア１０の係合構成について説明する。
【００３７】
外箱１ａの外箱前面部１ｂの他端側には、複数のドア被係合部が設けられている。また、ドア１０のドア後面部１０ｂの他端側には、ドア１０を閉じるとドア係合部と係合する複数のドア係合部が設けられている。前開口部１１を液密で閉じるために、中央に位置する対のドア係合部７２及びドア被係合部８２が設けられる。
【００３８】
そして、ドア１０を無理矢理こじ開けることに抗するため、上に位置する対のドア係合部７１及びドア被係合部８１と、下に位置する対のドア係合部７３及びドア被係合部８３との少なくとも一方がさらに設けられる。
【００３９】
好適には、図４に示すように、外箱前面部１ｂの他端側において、３つのドア被係合部８１，８２，８３が上下方向に間隔をあけて１列に設けられ、ドア後面部１０ｂの他端側において、３つのドア係合部７１，７２，７３が上下方向に間隔をあけて１列に設けられている。したがって、３対のドア係合部７１，７２，７３及びドア被係合部８１，８２，８３が上下方向に間隔をあけて１列に設けられている。
【００４０】
３つのドア被係合部８１，８２，８３のうち中央に位置するドア被係合部８２は、円形の前開口部１１と外箱前面部１ｂの他端側との間に設けられている。突出閉止部１０ｄで前開口部１１を液密で閉じるため、ドア被係合部８２は、前開口部１１の横方向径部の近傍に設けられている。
【００４１】
ドア係合部７１，７２，７３は、それぞれ係合爪を有し、ドア１０を閉じると、対応するドア被係合部８１，８２，８３の各係合凹部に係合して、ドア１０をロックする。ドア開ボタン１３を操作することにより、ドア被係合部８１，８２，８３に対するドア係合部７１，７２，７３の係合が解除され、ドア１０を開放することができる。
【００４２】
なお、係合爪を持ったドア被係合部８１，８２，８３を外箱１ａの外箱前面部１ｂ側に設けるとともに、係合凹部を有するドア係合部７１，７２，７３をドア１０のドア後面部１０ｂ側に設けることもできる。当該構成によれば、ドア１０を閉じると、外箱１ａ側に設けられたドア被係合部８１，８２，８３が、ドア１０に設けられたドア係合部７１，７２，７３と係合する。
【００４３】
突出閉止部１０ｄで前開口部１１をより確実に液密で閉じるために、中央に位置するドア係合部７２及びドア被係合部８２（以下、単に、中央のドア係合対７２，８２という。）については、係合爪による係合構造であることが好適である。しかしながら、上に位置するドア係合部７１及びドア被係合部８１（以下、単に、上のドア係合対７１，８１という。）と下に位置するドア係合部７３及びドア被係合部８３（以下、単に、下のドア係合対７３，８３という。）については、その他の係合構造（例えば、マグネットによる吸着係合構造）にすることができる。
【００４４】
上記実施形態によれば、一枚物のドア１０によって外箱１ａの外箱前面部１ｂの全体が覆われるため、ドア１０が前開口部１１（回転ドラム３）の形状に依存する必要性がなくなり、複数のパネル部品を組み立てるときに生じる分割線もドア１０で隠される。その結果、デザイン性と低コスト化と取扱性とを兼ね備えるドラム式洗濯機１を提供できる。
【００４５】
〔第２実施形態〕
次に、第２実施形態に係るドラム式洗濯機１について、図５を参照しながら説明する。図５は、第２実施形態に係るドラム式洗濯機１での外箱１ａの外箱前面部１ｂを示す模式図である。
【００４６】
図５に示す第２実施形態では、外箱１ａの外箱前面部１ｂの他端側（ヒンジ７０と反対側）には、３つのドア被係合部８１，８２，８３が上下方向に間隔をあけて互い違いに設けられている。すなわち、中央に位置するドア被係合部８２は、前開口部１１の横方向径部の近傍に設けられ、上に位置するドア被係合部８１と下に位置するドア被係合部８３が、外箱前面部１ｂの他端側（ヒンジ７０と反対側）の縁部寄りに設けられている。
【００４７】
ドア係合部及びドア被係合部を外箱１ａの外箱前面部１ｂの中央寄りに設けると、他端側の縁部に隙間ができやすくなり、該隙間に指などを差し込んでドア１０を無理矢理こじ開けようとする力がテコの原理で大きくなる。上のドア係合対７１，８１と下のドア係合対７３，８３を外箱１ａの外箱前面部１ｂの他端側の縁部寄りに配設することにより、隙間ができにくくなり、無理矢理こじ開けようとする力を抑制できる。したがって、当該構成によれば、突出閉止部１０ｄで前開口部１１をより確実に液密で閉じることができるとともに、ドア１０を無理矢理こじ開けることに抗する働きを向上させることができる。
【００４８】
〔第３実施形態〕
次に、第３実施形態に係るドラム式洗濯機１について、図６を参照しながら説明する。図６は、第３実施形態に係るドラム式洗濯機１の縦断面模式図である。
【００４９】
図６に示す第３実施形態では、ドア１０が断面視で上から下に向けて先細形状になっている。水槽２及び回転ドラム３の軸心が水平面に対して後方側に向けて下方に傾斜するように、水槽２及び回転ドラム３が配置されている。当該配置に対応して、外箱１ａの外箱前面部１ｂが、水槽２及び回転ドラム３の軸心に直交するように後方側に傾斜している。
【００５０】
外箱１ａの外箱前面部１ｂが後方側に傾斜していることに対応して、ドア１０のドア後面部１０ｂが後方側に傾斜している。他方、ドア前面部１０ａが略垂直方向に延在している。したがって、ドア１０の上部が下部よりも厚みを有して、ドア１０が断面視で上から下に向けて先細形状になっている。突出閉止部１０ｄにおける後方への突出量が少なくて済み、突出閉止部１０ｄを小型化できる。ドア１０を閉じた状態では、ドラム式洗濯機１が直方体のボックス形状をしており、シンプルな美的外観を提供できる。
【００５１】
〔第４実施形態〕
次に、第４実施形態に係るドラム式洗濯機１について、図７を参照しながら説明する。図７は、第４実施形態に係るドラム式洗濯機１の縦断面模式図である。
【００５２】
図７に示す第４実施形態では、平板状のドア１０が断面視で傾斜して配置されている。外箱１ａの外箱前面部１ｂが後方側に傾斜していることに対応して、ドア１０のドア前面部１０ａ及びドア後面部１０ｂが後方側に略平行に傾斜している。したがって、ドア１０が、上部から下部まで略同じ厚みを有する平板形状であり、後方側に傾斜して配置されている。突出閉止部１０ｄにおける後方への突出量が少なくて済み、突出閉止部１０ｄを小型化できる。ドア１０が平板形状をしているので、ドア１０の製造が容易になる。傾斜配置された一枚物のドア１０によって外箱１ａが覆われているという斬新な美的外観を提供することができる。
【００５３】
この発明の具体的な実施形態について説明したが、この発明は上記実施形態に限定されるものではなく、この発明の範囲内で種々変更して実施することができる。
【００５４】
ドア１０を回動自在に軸支するヒンジ７０として、例えば、ドア１０の上面部及び下面部をそれぞれ回動自在に支持する上ヒンジ及び下ヒンジを使用できる。例えば、図示しない下ヒンジは、鉛直部及び水平部を有する断面Ｌ字型に屈曲した金属板からなり、鉛直部がネジにより外箱１ａに取り付けられ、水平部の一端には下ヒンジピンが突設されて、下ヒンジピンがドア１０に装着された軸受部に嵌合する。ドア１０の回動時には下ヒンジピンの下端の座面と軸受部の下端面とが互いに摺動する摺動部となる。当該構成によって、下ヒンジはドア１０を回動自在に軸支する。上ヒンジも同様の構成によってドア１０を回動自在に軸支する。
【００５５】
上記実施形態では、ドア１０の係合構成として、中央のドア係合対７２，８２と上のドア係合対７１，８１と下のドア係合対７３，８３からなる３つのドア係合対が設けられている。他のドア１０の係合構成として、中央のドア係合対７２，８２及び上のドア係合対７１，８１、中央のドア係合対７２，８２及び下のドア係合対７３，８３のような２つのドア係合対が設けられてもよい。また、中央のドア係合対７２，８２と上のドア係合対７１，８１と下のドア係合対７３，８３に加えて、これらのドア係合対の間に第４のドア係合対や第５のドア係合対がさらに設けられてもよい。
【００５６】
水槽２及び回転ドラム３の軸心が、水平面に対して平行に延在しているすなわち水槽２及び回転ドラム３が横姿勢で支持されている場合、ドア１０のドア前面部１０ａ及びドア後面部１０が垂直面に対して平行に延在する。
【００５７】
以上説明したように、この発明のドラム式洗濯機１は、
前開口部１１を外箱前面部１ｂに有する外箱１ａと、
前記外箱１ａ内に配置される水槽２と、
前記水槽２内に回転可能に配置されて洗濯物Ａを収容する回転ドラム３と、
前記外箱１ａの前記外箱前面部１ｂの全体を覆うとともに、前記前開口部１１を閉じるドア１０とを備えることを特徴とする。
【００５８】
上記構成によれば、一枚物のドア１０によって外箱１ａの外箱前面部１ｂの全体が覆われているため、ドア１０が前開口部１１（回転ドラム３）の形状に依存する必要性がなくなり、複数のパネル部品を組み立てるときに生じる分割線もドア１０で隠される。その結果、デザイン性と低コスト化と取扱性とを兼ね備えるドラム式洗濯機１を提供することができる。
【００５９】
好ましくは、前記外箱前面部１ｂには、前記外箱１ａ内に配置されたフィルタ装置２４に対して着脱可能なリントフィルタ２５が設けられて、前記ドア後面部１０ｂには、前記リントフィルタ２５の誤挿入を防止する誤挿入防止構造３９が設けられる。
【００６０】
上記構成によれば、リントフィルタ２５のフィルタキャップ２８がフィルタ装置２４を蓋するための蓋閉位置に位置していなければ、ドア１０を完全に閉じることができないため、ドア１０を閉じる際に、リントフィルタ２５のフィルタキャップ２８が蓋閉位置に位置しているか否かを注意喚起できる。
【００６１】
好ましくは、前記ドア後面部１０ｂには、ドア係合部７１，７２，７３が設けられて、前記外箱前面部１ｂには、前記ドア１０を閉じると前記ドア係合部７１，７２，７３と係合するドア被係合部８１，８２，８３が設けられて、前記ドア係合部７１，７２，７３及び前記ドア被係合部８１，８２，８３が、複数の対で設けられているとともに、前記ドア１０を軸支するヒンジ７０の反対側に設けられる。
【００６２】
上記構成によれば、ドア１０が不用意に開放されることを防止できる。
【００６３】
好ましくは、対の前記ドア係合部７２及び前記ドア被係合部８３が、前記前開口部１１の近傍に設けられる。
【００６４】
上記構成によれば、前開口部１１を液密で閉じることができる。
【００６５】
好ましくは、前記前開口部１１の近傍に設けられた対の前記ドア係合部７２及び前記ドア被係合部８２が、前記前開口部１１寄りに設けられ、前記前開口部１１から離れたところに設けられた対の前記ドア係合部７１，７３及び前記ドア被係合部８１，８３が、前記外箱前面部１ｂの前記ヒンジ７０の反対側の縁部寄りに設けられる。
【００６６】
上記構成によれば、突出閉止部１０ｄで前開口部１１をより確実に液密で閉じることができるとともに、ドア１０を無理矢理こじ開けることに抗する働きを向上させることができる。
【符号の説明】
【００６７】
１…ドラム式洗濯機
１ａ…外箱
１ｂ…外箱前面部
２…水槽
３…回転ドラム
４…ドラムモータ
５…循環風路
１０…ドア
１０ａ…ドア前面部
１０ｂ…ドア後面部
１０ｃ…窓部
１０ｄ…突出閉止部
１１…前開口部
１３…ドア開ボタン
１５…操作パネル
２４…フィルタ装置
２５…リントフィルタ
２７…排水管
２８…フィルタキャップ
２９…フィルタキャップ把持部
３９…誤挿入防止構造
７０…ヒンジ
７１，７２，７３…ドア係合部
８１，８２，８３…ドア被係合部
Ａ…洗濯物
【図１】
2018015132.tif 000003
【図２】
2018015132.tif 000004
【図３】
2018015132.tif 000005
【図４】
2018015132.tif 000006
【図５】
2018015132.tif 000007
【図６】
2018015132.tif 000008
【図７】
2018015132.tif 000009